(57)【要約】【課題】かご枠を省略することができるとともに、昇降路の上部におけるロープ巻掛構造の簡素化を図ることができるエレベータ装置を提供する。【解決手段】かご床１１の上方には、ロープガイド支持部材１４が設けられている。ロープガイド支持部材１４には、ロープガイド１５Ａ〜１５Ｄと、固定具１６Ａ〜１６Ｄとが取り付けられている。ロープガイド支持部材１４の上方には、ロープ絞り支持部材１７が設けられている。ロープ絞り支持部材１７には、ロープ絞り１８Ａ〜１８Ｄと、固定具１９Ａ〜１９Ｄとが取り付けられている。ロープガイド支持部材１４、ロープガイド１５Ａ〜１５Ｄ、ロープ絞り支持部材１７及びロープ絞り１８Ａ〜１８Ｄは、ロープ分岐機構を構成している。ロープ１Ａ〜１Ｄにおけるロープガイド１５Ａ〜１５Ｄとロープ絞り１８Ａ〜１８Ｄとの間の箇所は、ロープ分岐機構によって、鉛直線に対して斜めに配置されている。【選択図】図１
2011162305.tif 000002
【特許請求の範囲】
【請求項１】
複数本のロープを有し、昇降路内に垂れ下げられた主索と、
前記昇降路内に設けられたかご床と、
前記かご床の外周部に設けられ、それぞれ前記複数本のロープの一端部を前記かご床に固定する複数の綱止部と、
前記かご床の上面に設けられ、乗客乗車スペースを形成するかご室と
を備え、
前記かご室の上面近傍に設けられ、前記複数本のロープを前記昇降路の上部における垂下位置から前記複数の綱止部のそれぞれへ向けて分岐させるロープ分岐機構
をさらに備えることを特徴とするエレベータ装置。
【請求項２】
前記ロープ分岐機構は、
前記かご床から上方に間隔をおいて前記かご床に対向して配置されたロープガイド支持部材と、
それぞれ前記ロープガイド支持部材に設けられ、かつ前記かご床における綱止位置を臨むように配置され、それぞれ前記複数の綱止部との間で前記複数本のロープを張り渡す複数のロープガイドと、
前記ロープガイド支持部材から上方に間隔をおいて前記ロープガイド支持部材に対向して配置されたロープ絞り支持部材と、
前記ロープ絞り支持部材に設けられ、かつ前記垂下位置から臨むように配置され、それぞれ前記複数のロープガイドとの間で、前記複数本のロープを鉛直線に対して斜めに張り渡す複数のロープガイドと
を有することを特徴とする請求項１記載のエレベータ装置。
【請求項３】
前記かご室に代えて、前記ロープガイド支持部材と前記かご床とを繋ぐように設けられた複数の壁材
をさらに備え、
前記ロープガイド支持部材の下面は、前記複数の壁材とともに前記乗客乗車スペースを形成している
ことを特徴とする請求項２記載のエレベータ装置。
【請求項４】
複数本のロープを有し、昇降路内に垂れ下げられた主索と、
前記昇降路内に設けられ、かつ上下方向に互いに間隔をおいて配置された複数のかご床と、
前記複数のかご床のそれぞれに設けられ、それぞれ乗客乗車スペースを形成する複数のかご室と、
前記複数のかご床のうち最下方に配置された前記かご床である綱止かご床の外周部に設けられ、それぞれ前記複数本のロープの一端部を前記綱止かご床に固定する複数の綱止部と、
前記複数のかご床のうち前記綱止かご床を除く前記かご床の外周部に設けられ、かつ前記綱止かご床における綱止位置を臨むように配置され、前記複数本のロープにそれぞれ接続された複数のロープ接続部と、
前記複数のかご室のうち最上方に配置された前記かご室の上面近傍に設けられ、前記複数本のロープを前記昇降路の上部における垂下位置から前記複数の綱止部のそれぞれへ向けて分岐させるロープ分岐機構と
を備えることを特徴とするエレベータ装置。
【発明の詳細な説明】
【技術分野】
【０００１】
この発明は、主索によって昇降路内に吊り下げられたかごを有するエレベータ装置に関する。
【背景技術】
【０００２】
例えば、特許文献１に示すような従来のエレベータ装置では、下梁、上梁、及び一対の縦柱が組み合わされてなるかご枠と、かご床と、かご室とによって、かごが構成されている。
【０００３】
また、例えば、特許文献２に示すような従来のエレベータ式立体駐車装置では、自動車が搭載される昇降台の平面視の四隅に、主索をなす複数本のロープの一端部がそれぞれ固定されている。
【先行技術文献】
【特許文献】
【０００４】
【特許文献１】特開２００８−３７５４８号公報
【特許文献２】実開平５−７５３５４号公報
【発明の概要】
【発明が解決しようとする課題】
【０００５】
上記のような従来のエレベータ装置では、かご枠の上梁に綱止部材が固定され、上梁及び一対の縦柱がかごの吊り荷重を受ける。このため、かごの吊り荷重に耐えうるように、上梁及び一対の縦柱を強固に製造する必要がある。この結果、かご枠が大型化・重量化し、かごの総重量が比較的大きくなっていた。
【０００６】
また、上記のような従来のエレベータ式立体駐車装置では、複数本のロープの一端部が昇降台に固定されていることから、かご枠に相当する部材が用いられていない。しかしながら、複数本のロープのそれぞれについて、巻上機のシーブ（又は反らせ車）への進入角度条件を充足する必要があるため、複数の案内プーリを昇降路の上部に設けて、巻上機のシーブから複数の案内プーリへ複数本のロープを分岐させて、これらの複数本のロープの垂下位置を調整する必要がある。このように、昇降台の四隅に対応するように昇降路の上部で複数本のロープを分岐させているため、昇降路の上部におけるロープ巻掛構造が複雑化していた。
【０００７】
この発明は、上記のような課題を解決するためになされたものであり、かご枠を省略することができるとともに、昇降路の上部におけるロープ巻掛構造の簡素化を図ることができるエレベータ装置を得ることを目的とする。
【課題を解決するための手段】
【０００８】
この発明のエレベータ装置は、複数本のロープを有し、昇降路内に垂れ下げられた主索と、前記昇降路内に設けられたかご床と、前記かご床の外周部に設けられ、それぞれ前記複数本のロープの一端部を前記かご床に固定する複数の綱止部と、前記かご床の上面に設けられ、乗客乗車スペースを形成するかご室とを備え、前記かご室の上面近傍に設けられ、前記複数本のロープを前記昇降路の上部における垂下位置から前記複数の綱止部のそれぞれへ向けて分岐させるロープ分岐機構をさらに備えるものである。
【発明の効果】
【０００９】
この発明のエレベータ装置によれば、ロープ分岐機構によって、複数本のロープが昇降路の上部における垂下位置から複数の綱止部のそれぞれへ向けて分岐されているので、かご枠を省略することができるとともに、昇降路の上部の案内プーリで複数本のロープを分岐させる必要がなくなることから、昇降路の上部におけるロープ巻掛構造の簡素化を図ることができる。
【図面の簡単な説明】
【００１０】
【図１】この発明の実施の形態１によるエレベータ装置を示す正面図である。
【図２】図１のかごを示す側面図である。
【図３】図１のかごを示す平面図である。
【図４】この発明の実施の形態２によるエレベータ装置を示す正面図である。
【図５】図４のかごを示す側面図である。
【図６】図４のかごを示す平面図である。
【図７】この発明の実施の形態３によるエレベータ装置を示す正面図である。
【発明を実施するための形態】
【００１１】
以下、この発明を実施するための形態について、図面を参照して説明する。
実施の形態１．
図１は、この発明の実施の形態１によるエレベータ装置を示す正面図である。図２は、図１のかご１０を示す側面図である。図３は、図１のかご１０を示す平面図である。なお、図３では、固定具１９Ａ〜１９Ｄを省略して示す。
図１〜３において、昇降路の上部には、巻上機及び反らせ車が設けられている（いずれも図示せず）。巻上機のシーブの外周面と、反らせ車の外周面とには、主索１が巻き掛けられている。主索１の両端部は、巻上機又は反らせ車から昇降路内に垂れ下げられている。主索１は、複数本のロープ１Ａ〜１Ｄを有している。
【００１２】
主索１の一端部には、かご１０が吊り下げられ、主索１の他端部には、釣合おもり（図示せず）が吊り下げられている。即ち、かご１０及び釣合おもりは、主索１によって１：１ローピング方式で昇降路内に吊り下げられている。また、かご１０及び釣合おもりは、巻上機の駆動力によって昇降路内を昇降される。
【００１３】
かご１０は、かご床１１、及び箱状のかご室１２を有している。かご床１１の両側面部には、かご１０の奥行方向に間隔をおいて、綱止部としての複数の綱止機構（ロープシャックル機構）１３Ａ〜１３Ｄが取り付けられている。複数本のロープ１Ａ〜１Ｄの一端部は、それぞれ綱止機構１３Ａ〜１３Ｄに固定されている。綱止機構１３Ａ〜１３Ｄは、かご１０の偏荷重を受ける。
【００１４】
かご室１２は、かご床１１の上面に載置されている。かご室１２の上面（又は上面近傍）には、平面視四角形状のロープガイド支持部材（支持枠）１４が設けられている。つまり、ロープガイド支持部材１４は、かご床１１の上面から、乗客乗車スペースの高さに相当する高さ分の間隔をおいて、かご床１１に対向して配置されている。ロープガイド支持部材１４には、複数のロープガイド１５Ａ〜１５Ｄと、複数の固定具（移動防止ストッパ）１６Ａ〜１６Ｄとが取り付けられている。
【００１５】
ロープガイド１５Ａ〜１５Ｄは、それぞれ綱止機構１３Ａ〜１３Ｄと上下方向で重なるように配置されている。即ち、ロープガイド１５Ａ〜１５Ｄは、かご床１１における綱止位置を臨むように配置されている。また、ロープガイド１５Ａ〜１５Ｄの形状は、筒状であり、ロープ１Ａ〜１Ｄは、ロープガイド１５Ａ〜１５Ｄの内部に挿入されている。ロープ１Ａ〜１Ｄは、ロープガイド１５Ａ〜１５Ｄと綱止機構１３Ａ〜１３Ｄとの間で上下方向に沿って張り渡されている。
【００１６】
固定具１６Ａ〜１６Ｄは、ロープガイド１５Ａ〜１５Ｄの下面に固定されている。また、固定具１６Ａ〜１６Ｄは、それぞれロープ１Ａ〜１Ｄの外周面を囲むように圧着されている。これらの固定具１６Ａ〜１６Ｄによって、ロープガイド支持部材１４がロープ１Ａ〜１Ｄに固定され、ロープガイド支持部材１４のロープ１Ａ〜１Ｄに対する上下動が規制される。
【００１７】
ロープガイド支持部材１４から所定の高さ離れた箇所には、平面視四角形状のロープ絞り支持部材（支持枠）１７が設けられている。ロープ絞り支持部材１７は、ロープガイド支持部材１４に対向して配置されている。また、ロープ絞り支持部材１７は、昇降路上部におけるロープ１Ａ〜１Ｄの垂下位置から臨む箇所に配置されている。ロープ絞り支持部材１７には、複数のロープ絞り１８Ａ〜１８Ｄと、複数の固定具（移動防止ストッパ）１９Ａ〜１９Ｄとが取り付けられている。
【００１８】
ロープ絞り１８Ａ〜１８Ｄの形状は、筒状であり、ロープ１Ａ〜１Ｄは、ロープ絞り１８Ａ〜１８Ｄの内部に挿入されている。固定具１９Ａ〜１９Ｄは、ロープ絞り１８Ａ〜１８Ｄの上面に固定されている。また、固定具１９Ａ〜１９Ｄは、それぞれロープ１Ａ〜１Ｄの外周面を囲むように圧着されている。これらの固定具１９Ａ〜１９Ｄによって、ロープ絞り支持部材１７がロープ１Ａ〜１Ｄに固定され、ロープ絞り支持部材１７のロープ１Ａ〜１Ｄに対する上下動が規制される。
【００１９】
ここで、ロープガイド支持部材１４、ロープガイド１５Ａ〜１５Ｄ、ロープ絞り支持部材１７及びロープ絞り１８Ａ〜１８Ｄは、ロープ分岐機構を構成している。ロープ１Ａ〜１Ｄにおけるロープガイド１５Ａ〜１５Ｄとロープ絞り１８Ａ〜１８Ｄとの間の箇所は、ロープ分岐機構によって、鉛直線に対して斜めに配置されている。つまり、ロープ分機構によって、ロープ１Ａ〜１Ｄが昇降路の上部における垂下位置から綱止機構１３Ａ〜１３Ｄのそれぞれへ向けて分岐されている。
【００２０】
このような実施の形態１のエレベータ装置では、ロープ分岐機構によって、ロープ１Ａ〜１Ｄが昇降路の上部における垂下位置から綱止機構１３Ａ〜１３Ｄのそれぞれへ向けて分岐されている。この構成により、かご枠を省略することができ、かごの軽量化を図ることができる。これとともに、昇降路の上部の案内プーリでロープ１Ａ〜１Ｄを分岐させる必要がなくなることから、昇降路の上部におけるロープ巻掛構造の簡素化を図ることができる。
【００２１】
実施の形態２．
実施の形態１では、箱状のかご室１２が用いられた。これに対して、実施の形態２では、かご室１２に代えて、かご床１１とロープガイド支持部材１４とを繋ぐ壁材２１〜２３が用いられる。
【００２２】
図４は、この発明の実施の形態２によるエレベータ装置を示す正面図である。図５は、図４のかご１０を示す側面図である。図６は、図４のかご１０を示す平面図である。なお、図６では、固定具１９Ａ〜１９Ｄを省略して示す。図４〜６において、かご床１１の外周部には、複数の壁材２１〜２３の下端部が固定されている。壁材２１〜２３の上端部は、ロープガイド支持部材１４の外周部に固定されている。壁材２１〜２３は、かご床１１とロープガイド支持部材１４との外周部同士を繋いでいる。
【００２３】
壁材２１の一側端部（図６の左端部）は、壁材２２の一側端部（図６の上端部）と接している。また、壁材２１の他側端部（図６の右端部）は、壁材２３の一側端部（図６の上端部）と接している。さらに、壁材２１は、実施の形態１におけるかご室１２の背面部を構成している。壁材２２，２３は、それぞれ実施の形態１におけるかご室１２の側面部を構成している。つまり、壁材２１〜２３は、実施の形態１におけるかご室１２の側壁を構成している。
【００２４】
実施の形態２のロープガイド支持部材１４は、実施の形態１におけるかご室１２の天井部を構成している。なお、ロープガイド支持部材１４の下面に意匠材や照明器具を設けてもよい。他の構成は、実施の形態１と同様である。
【００２５】
このような実施の形態２のエレベータ装置では、実施の形態１におけるかご室１２を省略して、ロープガイド支持部材１４及び壁材２１〜２３を用いて乗客乗車スペースを形成する場合であっても、実施の形態１と同様の効果を得ることができる。
【００２６】
実施の形態３．
実施の形態１，２では、１つのかご１０を有するエレベータ装置について説明した。実施の形態３では、複数（３つ）のかご３０Ｘ〜３０Ｚを有するエレベータ装置（マルチカーエレベータ・マルチデッキエレベータ）について説明する。
【００２７】
図７は、この発明の実施の形態３によるエレベータ装置を示す正面図である。図７において、昇降路内には、複数のかご３０Ｘ〜３０Ｚが上下方向に間隔をおいて配置されている。かご３０Ｘ〜３０Ｚは、それぞれかご床３１Ｘ〜３１Ｚ、かご室３２Ｘ〜３２Ｚ、ロープガイド支持部材３４Ｘ〜３４Ｚを有している。かご室３２Ｘ〜３２Ｚは、それぞれかご床３１Ｘ〜３１Ｚの上面に載置されている。
【００２８】
かご３０Ｘ〜３０Ｚのうち最下方に配置されたかご３０Ｚのかご床３１Ｚ（綱止かご床）の両側面には、かご３０Ｚの奥行方向に間隔をおいて複数の綱止機構３３Ａ〜３３Ｄが取り付けられている。かご床３１Ｙ，３１Ｚ（複数のかご床のうち、綱止かご床を除かご床）の両側面には、それぞれロープガイド４１Ａ〜４１Ｄ，４２Ａ〜４２Ｄが取り付けられている。
【００２９】
ロープガイド４１Ａ〜４１Ｄ，４２Ａ〜４２Ｄは、実施の形態１の固定具１６Ａ〜１６Ｄと同様の固定具（図示せず）を有しており、これらの固定具によって、かご床３１Ｙ，３１Ｚがロープ１Ａ〜１Ｄに固定されている。また、ロープガイド４１Ａ〜４１Ｄ，４２Ａ〜４２Ｄは、ロープ接続部を構成している。
【００３０】
ロープガイド支持部材３４Ｘ〜３４Ｚには、それぞれ複数のロープガイド３５Ａ〜３５Ｄが取り付けられている。ロープガイド３５Ａ〜３５Ｄの構成は、実施の形態１のロープガイド１５Ａ〜１５Ｄの構成と同様である。
【００３１】
かご３０Ｘ〜３０Ｚのうち最上方に配置されたかご３０Ｘのかご室３２Ｘの上面（又は上面近傍）には、ロープ絞り支持部材３７が設けられている。ロープ絞り支持部材３７には、複数のロープ絞り３８Ａ〜３８Ｄと、複数の固定具３９Ａ〜３９Ｄとが取り付けられている。ロープ絞り支持部材３７、ロープ絞り３８Ａ〜３８Ｄ及び固定具３９Ａ〜３９Ｄの構成は、実施の形態１のロープ絞り支持部材１７、ロープ絞り１８Ａ〜１８Ｄ及び固定具１９Ａ〜１９Ｄの構成と同様である。
【００３２】
ここで、ロープガイド３５Ａ〜３５Ｄ，４１Ａ〜４１Ｄ，４２Ａ〜４２Ｄは、それぞれ綱止機構３３Ａ〜３３Ｄと上下方向で重なるように配置されている。従って、ロープガイド３５Ａ〜３５Ｄ，４１Ａ〜４１Ｄ，４２Ａ〜４２Ｄ及び綱止機構３３Ａ〜３３Ｄによって、ロープ１Ａ〜１Ｄがかご３０Ｘの上端とかご３０Ｚの下端との間で張り渡されている。他の構成は、実施の形態１と同様である。
【００３３】
このような実施の形態３のエレベータ装置では、かご３０Ｘ〜３０Ｚのそれぞれについて、かご枠を省略することができる。
【００３４】
なお、実施の形態３では、かご３０Ｘ〜３０Ｚの３つのかごを用いた例について説明した。しかしながら、かごの数は、３つに限定するものではなく、２つ又は４つ以上のかごを用いてもよい。
【００３５】
また、実施の形態３のかご３０Ｘ〜３０Ｚについて、実施の形態２のかご１０の構成を適用してもよい。
【符号の説明】
【００３６】
１  主索、１Ａ〜１Ｄ  ロープ、１０，３０Ｘ〜３０Ｚ  かご、１１，３１Ｘ〜３１Ｚ  かご床、１２，３２Ｘ〜３２Ｚ  かご室、１３Ａ〜１３Ｄ，３３Ａ〜３３Ｄ  綱止機構（綱止部）、１４，３４Ｘ〜３４Ｚ  ロープガイド支持部材、１５Ａ〜１５Ｄ，３５Ａ〜３５Ｄ  ロープガイド、４１Ａ〜４１Ｄ，４２Ａ〜４２Ｄ  ロープガイド（ロープ接続部）、１７  ロープ絞り支持部材、２１〜２３  壁材。
【図１】
2011162305.tif 000003
【図２】
2011162305.tif 000004
【図３】
2011162305.tif 000005
【図４】
2011162305.tif 000006
【図５】
2011162305.tif 000007
【図６】
2011162305.tif 000008
【図７】
2011162305.tif 000009